(57)【要約】【課題】野生動物による果実の被害を防止する装置を提供する。【解決手段】果実の木に巻装して装着する木登り阻止用のシート１と、木に装着したシートを木に固定して取付ける取付手段２とを備える。シートは所望の大きさの四角形状のシート本体１０と、所望の大きさの四角形状に形成され、シート本体の一方の面に貼り合わせて設けたプラスチック製のフィルム材又はシート材で構成した表面層とを備え、表面層１１の表面にシリコーン又はフッ素樹脂をコーティングして滑り性を持たせたコーティング層１２を形成する。野生動物が木に登ろうとしても、シートの表面は滑り易くなっているので、木に登るのを阻止する。したがって、野生動物が木に登って果実に被害を与えるのを防止する。【選択図】図１
0003202144.tif 000002
【実用新案登録請求の範囲】
【請求項１】
野生動物による果実の被害防止装置であって、
果実の木に巻装して装着する木登り阻止用のシートと、前記木に巻装した前記シートを前記木に固定して取付ける取付手段とを備え、
前記シートは、所望の大きさの略四角形状のシート本体と、所望の大きさの略四角形状に形成され、前記シート本体の一方の面に貼り合わせて設けたプラスチック製のフィルム材又はシート材で構成した表面層とを備え、
前記表面層の表面にシリコーン又はフッ素樹脂をコーティングして滑り性を持たせたコーティング層が形成されている
ことを特徴とする野生動物による果実の被害防止装置。
【請求項２】
前記取付手段は、前記シートの少なくとも上縁部近くに開設した所望数の紐挿通用の孔と、所望長さの取付用の紐状部材とを含んで構成されていることを特徴とする請求項１に記載の野生動物による果実の被害防止装置。
【請求項３】
前記取付手段は、前記シートの少なくとも上縁部に固定して設けた所望数の紐挿通用のループ状に形成したシート吊り下げ用部材と、所望長さの取付用の紐状部材とを含んで構成されていることを特徴とする請求項１に記載の野生動物による果実の被害防止装置。
【請求項４】
前記取付手段は、前記シートのシート本体の前記一方の面における少なくとも上縁部に沿わせて接着して設ける所望の巾及び長さの粘着テープを含んで構成されていることを特徴とする請求項１に記載の野生動物による果実の被害防止装置。
【考案の詳細な説明】
【技術分野】
【０００１】
本考案は、野生動物による各種の果実の被害防止装置に関する。さらに詳しくは、例えば、特にアライグマやハクビシン（白鼻芯）その他の木登りが得意な野生動物による、ぶどう、梨、リンゴ、イチジクその他の各種の果実の被害を防止する装置に関する。
【背景技術】
【０００２】
従来より、野生動物による各種の果実の被害がある。近時においては、例えば、ペットとして飼育していたアライグマやハクビシン等の外来の動物が捨てられたり逃げ出した個体が野生化し、これらの野生動物が日本各地に拡大している。それに伴って、果実の被害も大巾に増加している。
【０００３】
従来、野生動物による果実の被害防止対策として、防御柵や電気棚を設置している（例えば、特許文献１〜５参照）。これにより、一応の成果を得ることができる。
【先行技術文献】
【特許文献】
【０００４】
【特許文献１】特開２００６−２７１２３８号公報
【特許文献２】特開２００６−１７４７０３号公報
【特許文献３】特開２００９−１０６２１５号公報
【特許文献４】特開２０１３−４２７４６号公報
【特許文献５】特開２０１５−４７１２２号公報
【考案の概要】
【考案が解決しようとする課題】
【０００５】
上述したように、電機柵等を設定することにより、野生化した動物（野生動物）による果実の被害防止に一応の成果を得ることができる。しかし、野生動物は溝や水路等を通って侵入することがある。また、例えばアライグマやハクビシン等は木登りが得意であると共にジャンプ力が強いため、電気柵の近くの樹木等を伝わって侵入したり、或いは、電機柵の高さが低いと飛び越えて侵入されることがある。
【０００６】
アライグマやハクビシン等は雑食性であり、果実も好んで食べる。また、アライグマやハクビシン等は、上記のように木登りが得意なため、これらの野生動物が柵内に侵入すると各種の果実の木に登って果実を食べる。これらの野生動物による果実の被害は年々増大している。そのため、当業界ではアライグマやハクビシン等の野生化した動物（野生動物）による果実の被害防止対策の技術の開発が望まれている。しかし、現時点では、その対策案は提案されていない。
【０００７】
そこで、本考案は、上記実情に鑑みてなされたもので、上記特許文献とは発想を転換した技術構成により、アライグマやハクビシン等の野生動物による各種果実の被害防止に貢献し得る果実の被害防止装置を提供することを目的とするものである。
【課題を解決するための手段】
【０００８】
上記目的を達成するため、本考案は、野生動物による果実の被害防止装置であって、
果実の木に巻装して装着する木登り阻止用のシートと、前記木に巻装した前記シートを前記木に固定して取付ける取付手段とを備え、
前記シートは、所望の大きさの略四角形状のシート本体と、所望の大きさの略四角形状に形成され、前記シート本体の一方の面に貼り合わせて設けたプラスチック製のフィルム材又はシート材で構成した表面層とを備え、
前記表面層の表面にシリコーン又はフッ素樹脂をコーティングして滑り性を持たせたコーティング層が形成されていることを特徴とする。
【０００９】
上記のように構成すると、アライグマやハクビシン等の野生動物が各種の果実の木に登ろうとしても、前記シートにより滑らせて木に登るのを防止する。したがって、これにより、アライグマやハクビシン等が木に登って果実に被害を与えるのを防止することができる。
【００１０】
本考案において、前記取付手段は、前記シートの少なくとも上縁部近くに開設した所望数の紐挿通用の孔と、所望長さの取付用の紐状部材とを含んで構成する技術構成を採用することができる。
【００１１】
本考案において、前記取付手段は、前記シートの少なくとも上縁部に固定して設けた所望数の紐挿通用のループ状に形成したシート吊り下げ用部材と、所望長さの取付用の紐状部材とを含んで構成する技術構成を採用することができる。
【００１２】
本考案において、前記取付手段は、前記シートのシート本体の前記一方の面における少なくとも上縁部に沿わせて接着して設ける所望の巾及び長さの粘着テープを含んで構成する技術構成を採用することができる。
【考案の効果】
【００１３】
本考案によれば、前記シートの表面層の表面にシリコーン又はフッ素樹脂をコーティングして滑り性を持たせたコーティング層が形成されている。したがって、アライグマやハクビシン等の野生動物が前記シートを巻装して取付けてある各種の果実の木に登ろうとしても、前記シートの滑り作用により滑らせて、木に登るのを防止する。したがって、これにより、アライグマやハクビシン等が木に登って果実を食べて被害を与えるのを防止することができる。
【図面の簡単な説明】
【００１４】
【図１】本考案の一実施形態の野生動物による果実の被害防止装置の構成を概略的に示す図であって、同図（ａ）は前記装置の全体構成を示す説明正面図、同図（ｂ）は前記装置の木登り阻止用のシートを示す説明背面図、同図（ｃ）は説明平面図、同図（ｄ）は同図（ａ）のＡ−Ａ線で切断し、その一部の構成を拡大して示す説明断面図である。
【図２】前記シートのシート本体に表面層を貼り合わせる前の状態の構成を概略的に示す説明平面図である。
【図３】前記装置の前記シートを果実の木に巻装して取付ける状態を概略的に示す説明斜視図である。
【図４】前記装置の使用状態の一例を概略的に示す図説明図である。
【図５】本考案の他の実施形態の野生動物による果実の被害防止装置の構成を概略的に示す説明斜視図である。
【図６】本考案のさらに他の実施形態の野生動物による果実の被害防止装置の構成を概略的に示す図であって、同図（ａ）は説明背面図、同図（ｂ）は同図（ａ）のＢ−Ｂ線で切断し、その一部の構成を拡大して示す説明断面図である。なお、取付用の紐状部材は省略してある。
【図７】本考案のさらに他の実施形態の野生動物による果実の被害防止装置の構成を概略的に示す図であって、同図（ａ）は説明正面図、同図（ｂ）は同図（ａ）のＣ−Ｃ線で切断し、その一部の構成を拡大して示す説明断面図、同図（ｃ）は同図（ａ）の仮想円線Ｄの部位を拡大し、その構成を概略的に示す説明正面図である。なお、取付用の紐状部材は省略してある。
【図８】本考案のさらに他の実施形態の野生動物による果実の被害防止装置の構成を概略的に示す図であって、同図（ａ）は前記装置の全体構成を示す説明正面図、同図（ｂ）は同図（ａ）の左側面図、同図（ｃ）は同図（ａ）の前記装置のシートの構成を示す説明正面図、同図（ｄ）は同図（ｃ）の左側面図、同図（ｅ）は同図（ａ）の前記装置に採用した取付手段の粘着テープを示す正面図である。
【図９】図８に示す前記装置の前記シートを果実の木に巻装して取付ける状態を概略的に示す説明図である。
【図１０】図８の前記装置の使用状態の一例を示す説明図である。
【考案を実施するための形態】
【００１５】
以下、図面を参照して本考案の実施形態の一例について説明する。
【００１６】
図１ないし図４は本考案の一実施形態（実施形態１）の野生動物による果実の被害防止装置を示す。
【００１７】
上記図１ないし図４に示すように、実施形態１の前記果実の被害防止装置１００は、各種の果実の木５（図４、図５参照）に装着する木登り阻止用のシート１と、前記シート１を前記木５に固定して取付ける取付手段２とを備える。
【００１８】
前記シート１は目的とする所望の各種の果実の木５（木の幹）に巻装して装着し、アライグマやハクビシン等の野生化した動物（野生動物）が木に登るのを阻止するものである。実施形態１では、果実の木５の一例として、図４に示すように、ぶどう５０を生育する「ぶどうの木」が開示されている。この場合、ぶどうの木の種類等は特に限定されない。
【００１９】
前記シートは所望の大きさ（縦巾及び横巾）の略四角形状に形成される。シートの大きさは、特に限定されないが、例えば縦巾（図１（ａ）、（ｂ）において上下巾）として、約３０〜約６０ｃｍ程度に形成できる。但し、上記範囲内に限定するものではない。また、シートの横巾（図１（ａ）、（ｂ）において左右巾）は、目的とする所望の果実の木（木の幹）の太さに応じ、前記木の外周を全面的に包囲して巻装し得る長さに設定する。例えば、約４０〜約８０ｃｍ程度に形成できる。但し、上記範囲に限定するものではなく、目的の果実の木の太さに対応して設定可能である。この場合において、シート１は、横巾の寸法を例えば約２ｍ〜約３ｍ程度に形成して置く。そして、使用する際に目的の果実の木（木の幹）の太さに応じて所望の長さに切断して使用するように構成してもよい。この点については、後述する各実施形態においても同様である。
【００２０】
前記シート１は、上述した大きさの略四角形状のシート本体１０と、所望の大きさの略四角形状に形成され、シート本体１０の一方の面（表面）に貼り合わせて設ける表面層１１とを備える。本実施形態の表面層１１は、シート本体と略同一大きさの略四角形状に形成されている。
【００２１】
シート本体１０の基材１０ａの構成素材としては、特に限定するものではなく、例えば合成紙や可撓性のプラスチック等を採用できる。実施形態１のシート本体１は基材として合成紙（例えば、株式会社ユポ・コーポレーション社製の「アルファユポ：登録商標」等）で構成されている。
【００２２】
シート本体１０の基材１０ａの肉厚は特に限定するものではなく、所望に応じて任意に決定できる。実施形態１では、肉厚：約０．１〜約０．５ｍｍ程度に形成したシート本体１０を採用している。なお、上記寸法は上記範囲内に限定するものではない。
【００２３】
前記表面層１１の構成素材（基材１１ａ）も特に限定されるものではないが、PPやPETその他のプラスチック製のフィルム材又はシート材等を採用できる。実施形態１では表面層１１の素材としてPP（ポリプロピレン）その他のプラスチック製のフィルム材等を採用している。
【００２４】
表面層１１の基材１１ａ（前記フィルム等）の肉厚は特に限定されないが、例えば約３０μｍ〜約８０μｍ程度の範囲を挙げることができる。実施形態１では約６０μｍのPP製のフィルム材を採用している。但し、上記に限定するものではない。
【００２５】
前記表面層１１（前記フィルム等）の一方の面の略全域面にはシリコーン又はフッ素樹脂をコーティングして滑り性を持たせたコーティング層１２（潤滑層）が形成されている。そして表面層１１（前記フィルム等）の基材１１ａのコーティング層１２の形成面と反対側の面をシート材１０の基材側に向け、表面層（前記フィルム等）をシート材１０の一方の面に接着その他の手段で強固、かつ平面状に貼り合わせてシート１を構成する。
【００２６】
前記シリコーン又はフッ素樹脂のコーティングは、例えばシリコーン等を表面層１１の基材１１ａの一方の面に塗布して乾燥する等により行なえる。これにより、表面層１１の一方の面にシリコーン等のコーティング層１２（ドライな高潤滑被膜）が形成される。この場合において、シリコーン等でコーティング処理した表面層１１は、例えば市販の剥離フィルムやセパレータフィルム等を任意に選択して採用することができる。また、フッ素樹脂としては、例えばデュポン社製のPTFE（商品名：テフロン、登録商標）等を採用できる。
【００２７】
実施形態１の前記シート１は、上記したように、前記表面層１１の前記コーティング層１２が形成されている面と反対側の面を前記シート材１０側に向け、所望の接着手段により、表面層をシート本体１０の一方の面に貼合（貼り合せ）して構成されている。
【００２８】
実施形態１の木登り阻止用のシート１は上記のように構成されている。そして、目的とする所望の各種の果実の木５（木の幹）へシート１の表面層１１と反対側の面を木５に向けて、シート１を木の所望の高さの部位へ巻装して、取付手段２で木（木の幹）に固定して取付けて使用される。
【００２９】
前記取付手段２は、前記木５に巻装した前記シート１を木に固定して取付けるものである。
【００３０】
本実施形態の取付手段２は、前記シート１の上縁部近くに所望の間隔で開設した所望数の紐挿通用の孔２０…２０と、所望長さの取付け用の紐状部材２１とを含んで構成されている。本実施形態では、前記シート１の上縁部近くに沿わせて、シート１の左右方向へ所望の間隔で６個の前記孔２０…２０を開設した例が開示されている。この場合において、前記孔２０の個数は所望に応じて増減可能なものである。
【００３１】
前記紐状部材２１は、例えば繊維製の紐やロープ等で構成できる。そして、紐状部材２１は、図１（ａ）、図３等に示すように、隣接する孔２０に交互に挿通して使用するものである。
【００３２】
本実施形態（実施形態１）の野生動物による果実の被害防止装置は上記のように構成されている。次にその使用方法等について説明する。
【００３３】
前記シート１の前記孔２０に紐状部材２１を上記のように挿通する。そして、シート１の表面層１１と反対側の面を果実の木５（本実施形態ではぶどうの木）側に向け、図３に示すように、前記木（木の幹）の外周面を全体的に包囲してシート１を木に巻装する。その状態で、紐状部材２１の両端部を結んで、図４に示すように、シート１を前記木（木の幹）の地面３より所望の高さの部位にシート１を固定して取付ける。
【００３４】
前記シート１の木５に対する取付部位（地面からの高さ）としては、例えばシート１の下縁が地面３から約１２０〜約１６０ｃｍ程度に位置する部位に取付ける方法を採用できる。但し、前記取付部位は上記範囲に限定するものではなく、所望に応じて任意に調整可能なものである。
【００３５】
次に実施形態１の作用効果等について説明する。
【００３６】
果実の木５（実施形態１ではぶどうの木）の所望の高さの部位における外周面を全体的に包囲してシート１が巻装して取付けてある。そして、シートの表面側はシリコーン又はフッ素樹脂をコーティングして滑り性を持たせたコーティング層が形成され、滑り易くなっている。
【００３７】
そこで、アライグマやハクビシン等がぶどうの木に登ろうとしても、前記シートの表面は滑り易くなっているため、コーティング層により足を滑らせて、木に登るのを阻止する。上記のように木に登る動作を繰り返して試みても同じ結果が生じるので、木登りをあきらめることになる。したがって、アライグマやハクビシン等が木に登って果実（ぶどう）を食べて被害を与えるのを防止することが可能になる。
【００３８】
なお、実施形態１では、シートの取付手段２として、シート１の上縁部近くに設けた紐挿通用の孔２０と、前記紐状部材２１とで構成した例が開示されている。この場合において、前記取付手段２は、シート１の下縁部近く側にも設ける構成を採用してもよい。即ち、シート１の下縁部近くに上縁部側と同様に所望数の紐挿通用の孔を設けると共に上記と同様の取付け用の紐状部材を設ける。そして、シートを前記木の外周面に巻装した状態で、シートの下縁部側も前記木５に固定して取付ける構成を採用できること勿論である。一般的には、この取付固定方法を採用する場合が多い。これにより、シート１の上縁部側及び下縁部側の両方が木（木の幹）に固定して取付けられる。この点については後述する実施形態においても同様である。
【００３９】
図５は本考案の他の実施形態（実施形態２）の野生動物による果実の被害防止装置を示す。この実施形態２において、実施形態１で既に説明した構成と共通する構成部等には同一符号を付して説明を省略する。この点については後述する各実施形態においても同様である。
【００４０】
実施形態２の野生動物による果実の被害防止装置２００は、前記シート１を前記木５に固定して取付ける取付手段２の構成に特徴がある。
【００４１】
実施形態２の前記取付手段２は、取付用の紐状部材２１Ａを実施形態１の前記紐状部材２１に比べて長さを長く構成し、紐状部材２１Ａを前記果実の木５（木の幹）に複数回巻き付けて結び、前記シート１を実施形態１に比べて安定して確実に木に固定して取り付けるように構成したものである。他の構成は実施形態１と同様である。
【００４２】
実施形態２は上記のように構成し、実施形態１と同様に使用するものである。これにより、実施形態１と同様の作用効果を奏する。
【００４３】
図６は本考案のさらに他の実施形態（実施形態３）の野生動物による果実の被害防止装置を示す。なお、取付用の紐状部材は図示を省略してある。
【００４４】
実施形態３の野生動物による果実の被害防止装置３００は、前記シート１を前記木５に取付ける取付手段２の構成に特徴がある。
【００４５】
実施形態３の前記取付手段２は、前記シート１の上縁部に所望の間隔で固定して設けた所望数の紐挿通用のループ状に形成した吊り下げ用部材２２…２２と、実施形態１と同様に形成した所望長さの取付用の紐状部材２１とを含んで構成されている。
【００４６】
実施形態３では、シート１の上縁部に沿わせ、シート本体１０の裏面にシートの左右方向へ所望の間隔で６個の吊り下げ用部材２２を接着その他の手段で固着して設けた例が開示されている。この場合において、前記吊り下げ用部材２２の数量は所望に応じて増減可能なものである。前記吊り下げ用部材２２の構成素材としては、例えば合成紙やプラスチック製のシート材、或いは布製のシート材等を採用できる。
【００４７】
実施形態３は、前記紐状部材２１を前記各吊り下げ用部材２２に挿通し、シート１を紐状部材で吊り下げて使用するものである。他の構成は実施形態１と同様である。なお、上記場合において、紐状部材は実施形態２の紐状部材２１Ａを採用可能なこと勿論である。
【００４８】
実施形態３は上記のように構成し、実施形態１と同様に使用するものである。これにより、実施形態１と同様の作用効果を奏する。
【００４９】
図７は本考案のさらに他の実施形態（実施形態４）の野生動物による果実の被害防止装置を示す。なお、取付用の紐状部材は図示を省略してある。
【００５０】
実施形態４の野生動物による果実の被害防止装置４００は、前記シート１の所望部に面状ファスナー４を取付けた構成に特徴がある。
【００５１】
実施形態４は、図７（ａ）に示すように、面状ファスナー４の一方のファスナー４ａをシート１の下縁部近くの図において右側縁部近くに固定して取付けると共に他方のファスナー４ｂをシート１の下縁部近くの左側縁部近くに固定して取付けた例が開示されている。
【００５２】
実施形態４においては、面状ファスナー４の一方のファスナー４ａをシート１の表面側（表面層側）の前記部位に縫着４０等で固定して取付けてある。また、他方のファスナー４ｂはシートの裏面側、即ち、シート本体１０の裏面側における前記部位に接着４１等で固定して取付けてある。なお、一方のファスナー４ａを縫着４０等で固定した理由は、表面層１１側はコーティング層１２が形成されているため、接着剤で接着できないためである。
【００５３】
実施形態４は上記のように構成し、シート１を実施形態１と同様に前記木５に巻装して取付けた後、シート１の下端部側の両側縁部を面状ファスナー４で係脱可能に係着して使用するものである。これにより、前記木５に巻装して装着したシート１の下端部側が風圧により煽られて、捲くり上がるのを防止することができる。他の構成は実施形態１と同様である。
【００５４】
実施形態４は上記のように構成し、実施形態１と同様に使用される。これにより、実施形態１と同様の作用効果を奏する。また、上記作用に加え、シートの下端部側が風圧により煽られて、木が露出しない作用効果も奏する。
【００５５】
なお、実施形態４では、面状ファスナー４を実施形態１のシート１に取付けた例を開示したが、前記面状ファスナー４は実施形態２及び３のシート１に取付ける構成を採用できること勿論である。
【００５６】
図８ないし図１０は本考案のさらに他の実施形態（実施形態５）の野生動物による果実の被害防止装置を示す。
【００５７】
実施形態５の野生動物による果実の被害防止装置５００は、前記シート１を前記木５に取付ける取付手段２の構成に特徴がある。
【００５８】
実施形態５の前記シート１は、図８に示すように、横長の略四角形状に形成した前記シート本体１０と、シート本体１０より縦巾（図８において上下巾）を所望寸法だけ巾狭に形成した前記表面層１１とを備える。そして、前記表面層１１をシート本体１０の一方の面（表面）に、シート本体１０の上縁部及び下縁部に所望巾の余白部１３、１３を形成して貼り合わせて構成されている。表面層１１の表面には前記と同様にコーティング層が形成されている。上記により、シート本体１０の上下縁部（前記両余白部１３）は表面に露出している。
【００５９】
前記余白部１３の巾の寸法は特に限定されないが、例えば約２ｃｍ〜約３ｃｍ程度に形成できる。但し、上記範囲に限定するものではない。
【００６０】
実施形態５の前記シート１を前記木５に固定して取付ける取付手段２は、シート本体１０の上縁部及び下縁部に沿わせて前記両余白部１３に接着して設ける所望の巾及び長さの粘着テープ２３、２３を含んで構成されている。
【００６１】
両粘着テープ２３としては、一般に市販されているPP（ポリプロピレン）や塩化ビニルその他のプラスチック製の粘着テープ、或いは布製粘着テープ等を採用できる。
【００６２】
前記粘着テープ２３は、一般に市販されている巾寸法が約５ｃｍ〜約６ｃｍ程度でロール状に巻回したものを採用できる。そして、使用する際に、シート１の長さ（横方向の寸法）に応じてカットし、前記粘着テープ２３の巾の約半分ないし約半分弱の部位をシート本体１０の上縁部及び下縁部に沿わせて前記両余白部１３に接着して使用される。本実施形態では、図８（ａ）に示すように、前記粘着テープ２３をシート１の横巾（左右方向の長さ）より所望長さ長く形成したものを使用し、前記テープ２３の両端をシート１から所望長さ突出させて接着して使用するように構成した例が開示されている。前記テープ２３をシート１から突出させる長さとしては、約５ｃｍ〜約８ｃｍ程度が挙げられる。但し、上記範囲に限定するものではない。他の構成は実施形態１と同様である。
【００６３】
実施形態５の前記装置５００は上記のように構成されている。次にその使用方法等の一例について説明する。
【００６４】
シート１の長さ（図８（ａ）、（ｃ）において左右方向の長さ）を目的の果実の木５（木の幹）の太さに応じて所望の長さに切断する。また、粘着テープ２３の長さをシート１の長さに応じて所望の長さにカットし、テープ２３の前記部位をシート本体１０の上縁部及び下縁部に沿わせて前記両余白部１３に接着する。この際、上述したように、テープ２３の両端部をシート１から所望の長さ突出させて接着する。
【００６５】
上記状態で、図９及び図１０に示すように、シート１の表面層１１と反対側の面を前記木５側に向け、前記木（木の幹）の外周面を全体的に包囲してシート１を木に巻装すると共に、前記両粘着テープを木の外周面に接着してシートを木の所望の高さの部位に取付ける。これにより、シート１は前記木の高さの部位に巻装して固定して取付けられる。また、粘着テープのシート１から突出した一方の突出部は、粘着テープ上に重合して接着する。これにより、シートを木に対して一層確実に固定して取付けられる。
【００６６】
実施形態５の前記装置５００は上記のように使用するものである。これにより、実施形態１と同様の作用効果を奏する。
【００６７】
なお、上記した実施形態においては、果実の木５として、ぶどうの木に使用した例を開示したが、本考案装置は、梨、りんご、イチジクその他の各種の果実の木に適用可能なこと勿論である。
【００６８】
また、上記した実施形態１ないし３では、上述したように、シート１の取付手段２をシート１の上縁部側に設けた例を開示したが、取付手段２はシート１の上縁部側及び下縁部側の両方に設ける構成を採用してもよいものである。
【００６９】
また、前記シート１を前記木５に取付ける取付手段２は上述した構成に限定するものではなく、例えば、結束バンド（結束帯）や結束テープその他の結束材、その他の任意構成の取付手段を採用することができる。要は、前記シートを目的の果実の木（木の幹）に巻装した状態で、前記シートを前記木に固定して取付け得る構成を具備したものであれば良い。なお、この場合において、取付手段は、前記木５等に損傷を与えることなく、前記シートを前記木に固定して取付け得るように構成したものを採用することが好ましい。
【００７０】
さらにまた、前記取付手段２は、シート１の上縁部側に設ける取付手段２と下縁部側に設ける取付手段２を同一構成にすることなく、別構成の取付手段を設けるように構成することもできる。
【００７１】
なお、上記した各実施形態は一例として開示したもので、本考案は上記実施形態に限定されるものではなく、実用新案登録請求の範囲に記載の技術思想を越脱しない範囲において任意に変更可能なものである。
【符号の説明】
【００７２】
１        木登り阻止用のシート
２        取付手段
５        果実の木
１０      シート本体
１１      表面層
１２      コーティング層
２０      紐挿通用の孔
２１      紐状部材
２２      吊り下げ用部材
２３      粘着テープ
【図１】
0003202144.tif 000003
【図２】
0003202144.tif 000004
【図３】
0003202144.tif 000005
【図４】
0003202144.tif 000006
【図５】
0003202144.tif 000007
【図６】
0003202144.tif 000008
【図７】
0003202144.tif 000009
【図８】
0003202144.tif 000010
【図９】
0003202144.tif 000011
【図１０】
0003202144.tif 000012